Podtech/llm-jp-corpus-v4-ja_patent huggingface dataset:
【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
外科用インプラントであって、
基材であって、外面及び該基材の外面の上に配設される複数の層を有し、該基材はポリマー材料を含み、かつ
該複数の層は、
（ｉ）活性化基材表面層と、
（ｉｉ）バルブ金属層と、
（ｉｉｉ）多孔質バルブ金属酸化物層と、
を含み、
前記バルブ金属層が前記活性化基材層と前記多孔質バルブ金属酸化物層との間に配設されている、基材を含む、外科用インプラント。
【請求項２】
前記基材の前記ポリマー材料が、好ましくは、熱可塑性ポリマー材料であり、
前記ポリマー材料が、ポリアリールエーテルケトン（ＰＡＥＫ）材料である、請求項１に記載の外科用インプラント。
【請求項３】
前記多孔質バルブ金属酸化物層が、非晶質リン酸カルシウム組成物を含む、請求項１又は２に記載の外科用インプラント。
【請求項４】
前記複数の層が、バッファ層を更に含み、前記バッファ層が、前記活性化基材表面層と前記バルブ金属層との間に配設される、請求項１〜３のいずれか一項に記載の外科用インプラント。
【請求項５】
前記バッファ層が、好ましくは、第１の材料及び第２の材料の複数の交互層を含み、
前記第１の材料が、金属材料を含み、前記第２の材料が、前記金属材料の窒化物及び／又は炭化物を含む、請求項４に記載の外科用インプラント。
【請求項６】
前記バッファ層が、好ましくは、第１の材料、第２の材料及び第３の材料の複数の交互層を含み、
前記第１の材料が、Ｔａ２Ｏ５であり、前記第２の材料がＡｌＮであり、かつ前記第３の材料がＡｕである、請求項４に記載の外科用インプラント。
【請求項７】
前記基材が、強化ポリアリールエーテルケトン（ＰＡＥＫ）を含む、請求項１〜６のいずれか一項に記載の外科用インプラント。
【請求項８】
前記複数の層が、前記活性化基材表面層と前記バルブ金属層との間に配設されたポリシラン層を更に含む、請求項１〜７のいずれか一項に記載の外科用インプラント。
【請求項９】
前記複数の層が、好ましくは、導電性の非酸化性金属から形成される導電性層を更に含み、
前記導電性の非酸化性金属が、Ａｕ、Ｐｔ、Ｐｄ、及びそれらの組み合わせからなる群から独立して選択される、請求項１〜８のいずれか一項に記載の外科用インプラント。
【請求項１０】
複数の層を含むポリマー外科用インプラント用コーティングであって、好ましくは、外側コーティング層が約０．１μｍ〜約１０μｍの範囲のサイズ及び約１０，０００孔／ｍｍ２〜約５００，０００孔／ｍｍ２の範囲の孔密度を備えた孔を有し、該外側コーティング層がＴｉ、Ｏ、Ｃａ、及びＰの元素又はイオンを更に含み、
前記ポリマー外科用インプラントが、ポリアリールエーテルケトン（ＰＡＥＫ）外科用インプラントである、コーティング。
【請求項１１】
請求項１〜１０のいずれか一項に記載のポリマー外科用インプラントを作製する方法であって、
Ａ）１つ又は２つ以上のプロセスにより前記基材の外面を処理することにより、活性化基材表面層を作製する工程であって、前記１つ又は２つ以上のプロセスが、
（ｉ）プラズマ活性化、
（ｉｉ）電子ビーム照射、
（ｉｉｉ）紫外光、及び
（ｉｖ）低エネルギーＡｒ＋イオンビーム照射、
を含む、工程と、
Ｂ）前記活性化基材表面層の上に複数の層を塗布する工程であって、少なくとも１つの層は約１ｎｍ〜約２０μｍの厚みで塗布されたバルブ金属層を含む、工程と、
Ｃ）前記バルブ金属層の表面を陽極酸化プロセスにより変換することにより約２μｍ〜約１０μｍの厚みを有する多孔質バルブ金属酸化物層を形成する工程と、
を含む方法。
【請求項１２】
前記陽極酸化プロセスが、多孔質バルブ金属酸化物の層へのＣａ及びＰイオンを含有するアルカリ浴内で行われるスパーク陽極酸化プロセスであり、前記多孔質バルブ金属酸化物層は非晶質リン酸カルシウムを含有する、請求項１１に記載の方法。
【請求項１３】
好ましくは、前記バルブ金属層の塗布に先行して前記活性化基材表面層の上にバッファ層を塗布する工程を、更に含み、
前記バッファ層を塗布することが、第１の材料層及び第２の材料層の複数の交互層を塗布することを含む、請求項１０〜１２のいずれか一項に記載の方法。
【請求項１４】
前記活性化基材表面層と前記バッファ層との間に接着層を塗布することを更に含む、請求項１０〜１２のいずれか一項に記載の方法。
【請求項１５】
前記陽極酸化プロセスに先行して前記バルブ金属層の下に導電性層を形成するために導電性の非酸化性金属を塗布することを更に含む、請求項１０〜１４のいずれか一項に記載の方法。
【手続補正書】
【提出日】平成27年7月7日(2015.7.7)
【手続補正１】
【補正対象書類名】特許請求の範囲
【補正対象項目名】全文
【補正方法】変更
【補正の内容】
【特許請求の範囲】
【請求項１】
ａ．配列番号３のアミノ酸配列を備えるポリペプチドをコードする核酸および
ｂ．配列番号４のアミノ酸配列を備えるポリペプチドをコードする核酸
からなる群から選択される少なくとも１つの核酸を含むワクチン。
【請求項２】
分泌リーダーペプチドをコードする核酸をさらに含む、請求項１に記載のワクチン。
【請求項３】
前記分泌リーダーペプチドが、ＩｇＥ分泌リーダーペプチドである、請求項２に記載のワクチン。
【請求項４】
前記核酸が１つの発現ベクターに組み込まれる、請求項１に記載のワクチン。
【請求項５】
前記核酸が、２以上の発現ベクターに組み込まれる、請求項１に記載のワクチン。
【請求項６】
前記少なくとも１つの核酸が、ヒト細胞での発現に対してコドン最適化されている、請求項１に記載のワクチン。
【請求項７】
ａ．配列番号３のアミノ酸配列を備えるポリペプチドをコードする核酸および
ｂ．配列番号４のアミノ酸配列を備えるポリペプチドをコードする核酸
からなる群から選択される少なくとも１つの核酸を含む、Ｃ．ディフィシル（Ｃ．ｄｉｆｆｉｃｉｌｅ）に対して哺乳動物を免疫付与するための医薬組成物であって、該哺乳動物の組織に投与される、医薬組成物。
【請求項８】
前記医薬組成物が前記哺乳動物の組織に投与され；エレクトロポレーションが、細胞への核酸分子の移入を可能にするのに効果的である電流で前記哺乳動物の組織の細胞に供される、請求項７に記載の医薬組成物。
【請求項９】
前記哺乳動物の組織が筋肉である、請求項８に記載の医薬組成物。
【請求項１０】
前記ワクチンが、筋肉内または皮内注射により投与される、請求項７に記載の医薬組成物。
【請求項１１】
前記哺乳動物が現在、Ｃ．ディフィシル（Ｃ．ｄｉｆｆｉｃｉｌｅ）に感染しておらず、前記ワクチンが防御免疫反応を誘導する、請求項７に記載の医薬組成物。
【請求項１２】
前記防御免疫反応が、配列番号３のポリペプチドおよび配列番号４のポリペプチドからなる群の少なくとも１つのポリペプチドに特異的に結合する少なくとも１つの抗体を含む、請求項１１に記載の医薬組成物。
【請求項１３】
前記哺乳動物がヒトである、請求項７に記載の医薬組成物。
【請求項１４】
ａ．配列番号３のアミノ酸配列を備えるポリペプチドをコードする核酸および
ｂ．配列番号４のアミノ酸配列を備えるポリペプチドをコードする核酸
からなる群から選択される少なくとも１つの核酸を含む、Ｃ．ディフィシル（Ｃ．ｄｉｆｆｉｃｉｌｅ）に感染した哺乳動物を処置するための医薬組成物であって、該哺乳動物の組織に投与される、医薬組成物。
【請求項１５】
前記医薬組成物が前記哺乳動物の組織に投与され；エレクトロポレーションが、細胞への核酸分子の移入を可能にするのに効果的である電流で前記哺乳動物の組織の細胞に供される、請求項１４に記載の医薬組成物。
【請求項１６】
前記哺乳動物の組織が筋肉である、請求項１４に記載の医薬組成物。
【請求項１７】
前記ワクチンが、筋肉内または皮内注射により投与される、請求項１４に記載の医薬組成物。
【請求項１８】
前記哺乳動物が現在Ｃ．ディフィシル（Ｃ．ｄｉｆｆｉｃｉｌｅ）に感染しており、前記ワクチンが治療的免疫反応を誘導する、請求項１４に記載の医薬組成物。
【請求項１９】
前記治療的免疫反応が、配列番号３のポリペプチドおよび配列番号４のポリペプチドからなる群の少なくとも１つのポリペプチドに特異的に結合する少なくとも１つの抗体を含む、請求項１８に記載の医薬組成物。
【請求項２０】
前記哺乳動物がヒトである、請求項１４に記載の医薬組成物。
【請求項２１】
配列番号３のアミノ酸配列を含む、単離ポリペプチド。
【請求項２２】
配列番号３のアミノ酸配列をコードする、単離核酸。
【請求項２３】
配列番号４のアミノ酸配列を含む単離ポリペプチド。
【請求項２４】
配列番号４のアミノ酸配列をコードする単離核酸。
【請求項２５】
配列番号３のアミノ酸配列を含む単離ポリペプチドと、配列番号４のアミノ酸配列を含む単離ポリペプチドとを含む組成物。
【請求項２６】
配列番号３のアミノ酸配列をコードする単離核酸と、配列番号４のアミノ酸配列をコードする単離核酸とを含む組成物。
【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
骨位置合わせシステムであって、
骨の標的表面領域をスキャンしてスキャンデータを得るために配置されるスキャナー及び第１通信要素を備える装置と、
骨の第１部分上に配置可能な第１マーカーであって、前記装置に対して複数の次元で前記第１マーカーの位置を示す場所信号を送信するために配置される第２通信要素を備える、第１マーカーと、
前記スキャンデータを前記骨の表面データと比較して、前記表面データに対して前記スキャンデータが重なり合う要素を特定する位置データを発生させ、前記場所信号から場所データを特定し、前記位置データ及び前記場所データを用いて前記骨の表面上の前記第１マーカーの場所を特定するよう配置される、位置合わせユニットと、
を備える、システム。
【請求項２】
前記スキャンデータが超音波データであり、前記表面データがＣＴデータである、請求項１に記載のシステム。
【請求項３】
基準信号を発生するよう構成された信号発生器を更に備え、
前記第１通信要素及び前記第２通信要素が、第１センサー及び第２センサーであって、それぞれのセンサーは、前記基準信号を感知して、前記信号発生器に対して複数の次元で対応する通信要素の位置を示す対応する場所信号を前記位置合わせユニットに送信するように構成され、
前記位置合わせユニットが、前記場所信号から場所データを特定し、前記装置に対して複数の次元で前記第１マーカーの位置を示す、請求項１に記載のシステム。
【請求項４】
前記基準信号が電磁信号である、請求項３に記載のシステム。
【請求項５】
前記第１通信要素が、基準信号を発生するように構成された信号発生器であり、
前記第２通信要素が、前記基準信号を感知し、前記装置に対して複数の次元で前記第１マーカーの位置を示す場所信号を前記位置合わせユニットに送信するよう構成されたセンサーである、請求項１に記載のシステム。
【請求項６】
前記信号発生器及びセンサーが、電磁的及び光学的のうちの１つである、請求項５に記載のシステム。
【請求項７】
前記場所データが、前記装置に対して６つの次元で前記第１マーカーの位置を示す、請求項１に記載のシステム。
【請求項８】
骨の第２部分に配置される第２マーカーを更に含む、請求項１に記載のシステム。
【請求項９】
前記骨の表面上の前記第１マーカー及び前記第２マーカーの対応する場所が、前記装置を用いて特定可能である、請求項８に記載のシステム。
【請求項１０】
前記第１マーカー及び前記第２マーカーが互いに通信し、前記第２マーカーに対する前記第１マーカーの位置を含む相対マーカーデータを特定する、請求項８に記載のシステム。
【請求項１１】
前記位置合わせユニットが前記相対マーカーデータを処理し、前記骨の前記表面上の前記第２マーカーの場所を特定する、請求項１０に記載のシステム。
【請求項１２】
前記骨の前記表面上の前記第１マーカーの場所を示すディスプレイを更に含む、請求項１に記載のシステム。
【請求項１３】
前記第２マーカーが、前記第１通信要素と通信する第３通信要素を備え、前記第３通信要素に対して複数の次元で前記第１通信要素の位置を示す場所データを特定する、請求項８に記載のシステム。
【請求項１４】
前記装置が、電磁場発生器及び光場発生器のうちの１つを備える、請求項１に記載のシステム。
【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
食品を生成する方法であって、
閉じた内部空間を有し、この内部空間内に液体成分媒体が置かれている第１の容器を含むカートリッジを提供するステップと、
閉じた内部空間を含む第２の容器と、この閉じた内部空間内に置かれた不溶性成分を提供するステップと、
カートリッジを飲料生成装置のカートリッジ受け部と結合させるステップと、
第２の容器の閉じた内部空間を開放するステップと、
液体をカートリッジの液体成分媒体と混合することによって、飲料生成装置に当該食品の液体成分を作製させるステップと、
液体成分を飲料生成装置から第２の容器へと直接供給するステップであって、液体成分の供給によって第２の容器が当該食品の液体成分および不溶性成分を保持する、ステップと、
を含むことを特徴とする方法。
【請求項２】
請求項１に記載の方法であって、カートリッジと第２の容器が初期状態で互いに取り付けられており、カートリッジを結合させる前記ステップが、カートリッジをカートリッジ受け部と結合させる前に、カートリッジを第２の容器から分離するステップを含むことを特徴とする方法。
【請求項３】
請求項２に記載の方法であって、液体成分媒体と不溶性成分が不浸透性バリアによって互いから分離されていることを特徴とする方法。
【請求項４】
請求項２に記載の方法であって、カートリッジを第２の容器から分離する以前は、カートリッジが第２の容器の蓋に取り付けられており、この蓋が第２の容器の内部空間を閉じていることを特徴とする方法。
【請求項５】
請求項４に記載の方法であって、カートリッジの少なくとも一部が蓋の凹部に受けられていることを特徴とする方法。
【請求項６】
請求項５に記載の方法であって、蓋が外面と第１の向きで第２の容器の内部空間に露出される内面とを有し、蓋は、その外面が第２の容器の内部空間に露出される第２の向きで第２の容器と係合するように構成されていることを特徴とする方法。
【請求項７】
請求項２に記載の方法であって、第２の容器が、第２の容器の内部空間を画成する本体に取り付けられた取っ手を含み、カートリッジを第２の容器から分離する以前はカートリッジが取っ手に取り付けられていることを特徴とする方法。
【請求項８】
請求項７に記載の方法であって、取っ手が空洞部を画成し、カートリッジを第２の容器から分離する以前はカートリッジがこの空洞部に受けられていることを特徴とする方法。
【請求項９】
請求項８に記載の方法であって、第２の容器が、その本体の内部空間および取っ手の空洞部を覆う蓋を含むことを特徴とする方法。
【請求項１０】
請求項９に記載の方法であって、蓋が、蓋から取り外し可能な器具を含むことを特徴とする方法。
【請求項１１】
請求項２に記載の方法であって、カートリッジが、第１の開口を画成する第１の縁部を有する第１の容器と、第１の開口を覆う蓋と含み、第２の容器が第２の開口を画成する第２の縁部を含み、カートリッジを第２の容器から分離する以前は第１および第２の縁部が互いに係合されていることを特徴とする方法。
【請求項１２】
請求項２に記載の方法であって、液体成分媒体が、可溶性、不溶性またはそれ以外のやり方で水に分散可能な材料を含むことを特徴とする方法。
【請求項１３】
請求項１に記載の方法であって、
カートリッジに入口開口を形成するように、カートリッジを飲料生成装置の穿刺要素で穿刺するステップと、
液体を入口開口を介してカートリッジへと導入するステップと、
をさらに含むことを特徴とする方法。
【請求項１４】
請求項１３に記載の方法であって、
カートリッジに出口開口を形成するように、カートリッジを飲料生成装置の穿刺要素で穿刺するステップと、
液体成分が出口開口を介してカートリッジから排出されることができるようにするステップと、
をさらに含むことを特徴とする方法。
【請求項１５】
カートリッジを保持するように構成されたカートリッジ受け部と、
液体をカートリッジへと導入するように構成された液体注入口と、
閉じた内部空間を有する第１の容器と、この内部空間に置かれ、内部空間へと導入される液体と相互作用することによって食品の液体成分を生成するように使用される液体成分媒体とを含むカートリッジと、
閉じた内部空間と、この閉じた内部空間に置かれた不溶性成分とを含む第２の容器と、
を含み、
カートリッジと前記第２の容器は、互いに取り付けられており、カートリッジ受け部によってカートリッジが単独で保持されることができるように器具を使用せずに手作業で分離可能であり、第２の容器が、不溶性成分と、液体をカートリッジへと導入することによって形成された液体成分との両方を受け、保持するように構成されていることを特徴とする食品生成システム。
【請求項１６】
請求項１５に記載のシステムであって、液体成分媒体と不溶性成分が不浸透性バリアによって互いから分離されていることを特徴とするシステム。
【請求項１７】
請求項１５に記載のシステムであって、カートリッジが第２の容器の蓋に取り付けられ、この蓋が第２の容器の内部空間を閉じていることを特徴とするシステム。
【請求項１８】
請求項１７に記載のシステムであって、カートリッジの少なくとも一部が蓋の凹部に受けられていることを特徴とするシステム。
【請求項１９】
請求項１８に記載のシステムであって、蓋が外面と第１の向きで第２の容器の内部空間に露出される内面とを有し、蓋は、その外面が第２の容器の内部空間に露出される第２の向きで第２の容器と係合するように構成されていることを特徴とするシステム。
【請求項２０】
請求項１５に記載のシステムであって、第２の容器が、第２の容器の内部空間を画成する本体に取り付けられた取っ手を含み、カートリッジが取っ手に取り付けられていることを特徴とするシステム。
【請求項２１】
請求項２０に記載のシステムであって、取っ手が空洞部を画成し、カートリッジが空洞部に受けられていることを特徴とするシステム。
【請求項２２】
請求項２１に記載のシステムであって、第２の容器が、その本体の内部空間および取っ手の空洞部を覆う蓋を含むことを特徴とするシステム。
【請求項２３】
請求項２２に記載のシステムであって、蓋が、蓋から取り外し可能な器具を含むことを特徴とするシステム。
【請求項２４】
請求項１５に記載のシステムであって、カートリッジが、第１の開口を画成する第１の縁部を有する前記第１の容器と、第１の開口を覆う蓋とを含み、第２の容器が第２の開口を画成する第２の縁部を含み、カートリッジを第２の容器から分離する以前は第１および第２の縁部が互いに係合されていることを特徴とするシステム。
【請求項２５】
請求項１５に記載のシステムであって、液体成分媒体が、可溶性、不溶性またはそれ以外のやり方で水に分散可能な材料を含むことを特徴とするシステム。
【請求項２６】
請求項１５に記載のシステムであって、液体注入口が、カートリッジに入口開口を形成する穿刺要素を含むことを特徴とするシステム。
【請求項２７】
請求項１５に記載のシステムであって、液体成分がカートリッジから排出されることができるように、カートリッジに出口開口を形成する穿刺要素を含む液体排出口をさらに含むことを特徴とするシステム。
【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
以下の部分を含む融合タンパク質：
（ｉ）インターフェロン又はその生物学的に活性な変異タンパク質、
（ｉｉ）標的分子に結合可能な修飾ヘテロ二量体ユビキチンタンパク質、及び、
（ｉｉｉ）任意にリンカー。
【請求項２】
インターフェロンが、インターフェロン−アルファ（ＩＦＮ−α）若しくはインターフェロン−ベータ（ＩＦＮ−β）、又はヒトインターフェロン−アルファ若しくはヒトインターフェロン−ベータである、請求項１に記載の融合タンパク質。
【請求項３】
修飾ヘテロ二量体ユビキチンタンパク質の各修飾単量体ユビキチンユニットが、以下から選択される請求項１又２に記載の融合タンパク質；
１）各修飾単量体ユビキチンユニットが、配列番号１により規定されるアミノ酸配列、又は配列番号９１により規定されるアミノ酸配列に対して少なくとも８０％のアミノ酸配列同一性を有する、及び／又は
２）各修飾単量体ユビキチンユニットが、配列番号１又は配列番号９１の領域２〜８及び／又は領域６２〜６８における１〜８個のアミノ酸の置換によって他方の単量体ユビキチンユニットにおける修飾とは独立的に修飾されている。
【請求項４】
修飾ヘテロ二量体ユビキチンタンパク質において１〜７アミノ酸が更に修飾されている、請求項１〜３のいずれか１項に記載の融合タンパク質。
【請求項５】
更に修飾された前記１〜７アミノ酸が、第１単量体ユビキチンユニットの２、４、８、３３、３６、３８、６２、４４、７０、及び７１位、並びに第２単量体ユビキチンユニットの２、１０、１６、３４、３６、４４、５１、５３、６５、７０、及び７１位における１つ又は複数のアミノ酸から選択される、請求項４に記載の融合タンパク質。
【請求項６】
標的分子がフィブロネクチンのエキストラドメインＢ（ＥＤ−Ｂ）である、請求項１〜５のいずれか１項に記載の融合タンパク質。
【請求項７】
修飾ヘテロ二量体ユビキチンタンパク質が、以下から選択される請求項１〜６のいずれか一に記載の融合タンパク質；
１）修飾ヘテロ二量体ユビキチンタンパク質が、Ｋｄ≦１０−７の標的分子に対する特異的な結合親和性を有する、及び／又は
２）修飾ヘテロ二量体ユビキチンタンパク質が、配列番号１９、配列番号２０、配列番号２１、配列番号２２、配列番号２３、配列番号２４、配列番号２５、配列番号２６、配列番号２７、配列番号２８、配列番号２９、配列番号３０、配列番号３１、配列番号３２、配列番号３３、配列番号３４、配列番号３５、配列番号３６、配列番号７４、配列番号７５、配列番号７６、配列番号７７及び配列番号１９〜３６、又は配列番号７４〜７７に記載の１つ又は複数のアミノ酸配列に対して少なくとも９０％の配列同一性を呈するアミノ酸配列からなる群より選択されるアミノ酸配列を含む。
【請求項８】
融合タンパク質が、配列番号３７、配列番号３８、配列番号３９、配列番号４０、配列番号４１、配列番号４２、配列番号４３、配列番号４４、配列番号４５、配列番号４６、配列番号４７、配列番号４８、配列番号４９、配列番号５０、配列番号５１、配列番号５２、配列番号５３、配列番号５４、配列番号５５、配列番号５６、配列番号５７、配列番号５８、配列番号５９、配列番号６０、配列番号６１、配列番号６２、配列番号６３、配列番号６４、配列番号６５、配列番号６６、配列番号６７、配列番号６８、配列番号６９、配列番号７０、配列番号７１、配列番号７２、配列番号７８、配列番号７９、配列番号８０、配列番号８１、配列番号８２、配列番号８３、配列番号８４、配列番号８５、及び配列番号３７〜７２、又は配列番号７８〜８５に記載の１つ又は複数のアミノ酸配列に対して少なくとも９０％の配列同一性を呈するアミノ酸配列からなる群より選択されるアミノ酸配列を含む、請求項１〜７のいずれか１項に記載の融合タンパク質。
【請求項９】
請求項１〜８のいずれか１項に記載の融合タンパク質を含むがん又は感染性疾患の治療剤。
【請求項１０】
がん治療薬との併用投与用である、請求項１〜８のいずれか１項に記載の融合タンパク質を含む医薬又はがんの治療剤。
【請求項１１】
請求項１〜８のいずれか１項に記載の融合タンパク質をコードするポリヌクレオチド。
【請求項１２】
請求項１１に記載のポリヌクレオチドを含むベクター。
【請求項１３】
−請求項１〜８のいずれか１項に記載の融合タンパク質、
−請求項１１に記載のポリヌクレオチド、又は、
−請求項１２に記載のベクター、
を含む宿主細胞。
【請求項１４】
−請求項１〜８のいずれか１項に記載の融合タンパク質、又は、
−請求項１１に記載のポリヌクレオチド、又は、
−請求項１２に記載のベクター、又は、
−請求項１３に記載の宿主細胞、
を含み、薬学的に許容可能な担体を更に含み、一つ又は複数のがん治療薬を選択的に更に含む、医薬組成物。
【請求項１５】
請求項１〜８のいずれか１項に記載の融合タンパク質を作製する方法であって、
（ａ）単量体ユビキチンタンパク質に由来する、別々に修飾された二量体ユビキチンタンパク質の集団を準備する工程であって、前記集団が、ヘッドトゥーテール配置であることができ、ともに連結された２つの修飾ユビキチンモノマーを含む二量体ユビキチンタンパク質を含み、前記二量体タンパク質の各単量体が、配列番号１又は配列番号９１の１〜８アミノ酸の置換によって別々に修飾されている工程と、
（ｂ）潜在的なリガンドとして標的分子を準備する工程と、
（ｃ）別々に修飾されたタンパク質の前記集団を前記標的分子と接触させる工程と、
（ｄ）スクリーニング作業によって修飾二量体ユビキチンタンパク質を同定する工程であって、前記修飾二量体ユビキチンタンパク質が、Ｋｄ≦１０−７Ｍの特異的な結合親和性で前記標的分子に結合する工程と、
（ｅ）前記結合親和性により、前記修飾二量体ユビキチンタンパク質を単離する工程と、
（ｆ）ＩＦＮ若しくはＩＦＮ−α、又はその生物学的に活性な変異タンパク質を工程ｅ）で得られた修飾二量体ユビキチンタンパク質に融合する工程と、
を含む、方法。
【請求項１６】
請求項１〜８のいずれか１項に記載の融合タンパク質を調製する方法であって、
（ａ）請求項１〜８のいずれか１項に記載の融合タンパク質をコードする核酸を調製する工程と、
（ｂ）前記核酸を発現ベクターに導入する工程と、
（ｃ）前記発現ベクターを宿主細胞に導入する工程と、
（ｄ）宿主細胞を培養する工程と、
（ｅ）宿主細胞を、前記ベクターから融合タンパク質が発現される培養条件に供する工程であって、それによって請求項１〜８のいずれか１項に記載の融合タンパク質を産生する工程と、
（ｆ）任意に、工程（ｅ）において産生された融合タンパク質を濃縮又は単離する工程と、
を含む、方法。
【手続補正書】
【提出日】平成27年7月13日(2015.7.13)
【手続補正１】
【補正対象書類名】明細書
【補正対象項目名】発明の名称
【補正方法】変更
【補正の内容】
【発明の名称】角氷供給機のドア装置および電動回転アクチュエーター
【手続補正２】
【補正対象書類名】特許請求の範囲
【補正対象項目名】全文
【補正方法】変更
【補正の内容】
【特許請求の範囲】
【請求項１】
電動回転アクチュエーターであって、
出力シャフトと、
回転モーターシャフトを提供するＤＣ永久磁石モーターと、
前記モーターシャフトに取付けられて該モーターシャフトとともに回転する第１の歯車と、前記出力シャフトに取付けられ、前記モーターの回転によって該出力シャフトを回転させる最終歯車とを有する減速歯車列と、
前記モーターに電力が供給されたとき前記モーターによって前記歯車列を介して駆動される前記出力シャフトの第１の方向への回転を制限する停止部と、
前記第１の方向と反対の第２の方向へ前記出力シャフトを回転、付勢するバネであって、該バネは、前記モーターに電力が供給されない間、前記第２の方向に前記出力シャフトを回転させる大きさを有するバネとを具備し、
前記出力シャフトが前記第１の方向および前記第２の方向への動作する間、前記歯車列および前記モーターは前記出力シャフトとの係合を保持し、
該電動回転アクチュエーターは分路素子を更に備えており、前記第２の方向への前記出力シャフトの動作によって前記モーターにより生成される電流を該分路素子を通して流し、以って電気抵抗によって散逸させ、その動作を減衰させるようにした電動回転アクチュエーター。
【請求項２】
氷供給機ドア装置であって、
ドア開口を有したドアフレームに取付けられて、前記ドア開口の一方の側でドアシャフトにおける軸の回りに枢動するドアプレートと、
回転モーターシャフトを提供するＤＣ永久磁石モーターと、
前記モーターシャフトに取付けられて該モーターシャフトとともに回転する第１の歯車と、前記出力シャフトに取付けられ、前記モーターの回転によって該出力シャフトを回転させる最終歯車とを有する減速歯車列と、
前記モーターに電力が供給されるとき、前記モーターによって前記歯車列を介して駆動される第１の方向への前記ドアシャフトの回転を制限する停止部と、
前記第１の方向と反対の第２の方向への前記ドアシャフトの回転を付勢するバネであって、該バネは、前記モーターに電力が供給されない間、前記第２の方向に前記ドアシャフトを回転させる大きさを有したバネとを具備し、
前記出力シャフトが前記第１の方向および前記第２の方向への動作する間、前記歯車列および前記モーターは前記出力シャフトとの係合を保持し、
該電動回転アクチュエーターは分路素子を更に備えており、前記第２の方向への前記出力シャフトの動作によって前記モーターにより生成される電流を該分路素子を通して流し、以って電気抵抗によって散逸させ、その動作を減衰させるようにした氷供給機ドア装置。
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
ハウジングおよび前記ハウジング内に含有されるトランスデューサ素子を含む眼球用超音波プローブであって、トランスデューサ素子が、約１０ＭＨｚ未満の周波数を有する超音波エネルギーをもたらす、眼球用超音波プローブ。
【請求項２】
超音波エネルギーが、約５ＭＨｚ未満の周波数を有する、請求項１に記載の眼球用超音波プローブ。
【請求項３】
眼球外用プローブである、請求項１に記載の眼球用超音波プローブ。
【請求項４】
眼球内用プローブである、請求項１に記載の眼球用超音波プローブ。
【請求項５】
自己保持型である、請求項１に記載の眼球用超音波プローブ。
【請求項６】
固定手段をさらに含む、請求項１に記載の眼球用超音波プローブ。
【請求項７】
ハウジングが、ディスク、半円、三日月、くさびまたは輪の形である、請求項１に記載の眼球用超音波プローブ。
【請求項８】
ハウジングが、遠位端を有する細長い形であり、前記遠位端が、ディスク、半円、三日月、くさびまたは輪の形であるプローブヘッドを含む、請求項１に記載の眼球用超音波プローブ。
【請求項９】
センサーをさらに含む、請求項１に記載の眼球用超音波プローブ。
【請求項１０】
光学部品をさらに含む、請求項１に記載の眼球用超音波プローブ。
【請求項１１】
光学部品がレーザーである、請求項１０に記載の眼球用プローブ。
【請求項１２】
ハウジングおよび前記ハウジング内に含有されるトランスデューサ素子を含む眼球用プローブであって、前記ハウジングが細長くまたは平たく、ならびに前記平たいハウジングまたは細長いハウジングの遠位端が、ディスク、半円、三日月、くさびまたは輪の形である、眼球用プローブ。
【請求項１３】
自己保持型である、請求項１２に記載の眼球用プローブ。
【請求項１４】
固定手段をさらに含む、請求項１２に記載の眼球用プローブ。
【請求項１５】
センサーをさらに含む、請求項１２に記載の眼球用プローブ。
【請求項１６】
光学部品をさらに含む、請求項１２に記載の眼球用プローブ。
【請求項１７】
光学部品がレーザーである、請求項１６に記載の眼球用プローブ。
【請求項１８】
超音波エネルギーを眼に送達するためのシステムであって、眼球用超音波プローブおよびプロセッサを含み、前記眼球用超音波プローブが、約１から約１０ＭＨｚまでの周波数を有する超音波エネルギーをもたらす、システム。
【請求項１９】
眼の血流の疾患または障害を治療するための方法であって、閉塞を軽減または除去するために、微細気泡を網膜血管内の前記閉塞に供給することおよび本発明の眼球用超音波プローブを使用して、超音波エネルギーを眼に適用することを含み、前記超音波エネルギーが、約１から約１０ＭＨｚまでの周波数を有する、方法。
【請求項２０】
疾患または障害が、網膜静脈閉塞症である、請求項１９に記載の方法。
【請求項２１】
微細気泡が、約１から約１０ミクロンまでの直径を有する、請求項１９に記載の方法。
【請求項２２】
超音波プローブが、ディスク、半円、三日月、くさびまたは輪の形である、請求項１９に記載の方法。
【請求項２３】
超音波プローブが、ディスク、半円、三日月、くさびまたは輪の形であるプローブヘッドを含む遠位端を有する細長い形である、請求項１９に記載の方法。
【請求項２４】
観察手段を使用して、微細気泡または超音波エネルギーの適用前、適用中または適用後の閉塞を観察することをさらに含む、請求項１９に記載の方法。
【請求項２５】
１つ以上の追加の治療を、眼に施すことをさらに含む、請求項２２に記載の方法。
【請求項２６】
眼の血流の疾患または障害を治療するための方法であって、閉塞を軽減または除去するために、微細気泡を網膜血管内の前記閉塞に供給することおよび本発明の眼球用超音波プローブを使用して、超音波エネルギーを眼に適用することを含み、前記微細気泡が、約１ミクロンから約１０ミクロンまでの直径を有する、方法。
【請求項２７】
超音波エネルギーが、約１から約１０ＭＨｚまでの周波数を有する、請求項２６に記載の方法。
【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
外科器械システムの追跡管理のためのシステムであって、インプラント（１）取り付けのための使い捨て器具キットと、少なくとも１つの滅菌インプラントキット（２，３）と、を含み、前記キットのそれぞれが識別子を含む、システムであって、
前記キットの少なくとも１つが固有の識別子（４）と、追加の識別子を記録するための媒体とを含み、
−  前記追加の識別子の１つが、前記キットが使用されると回収される患者コードであり、
−  少なくとも１つの他の追加の識別子が少なくとも１つの補完キット（２，３）の識別子であり、前記識別子が、前記補完キットが使用されると前記追加の識別子の記録媒体（７）に移動可能な識別子（５，６）を含むことを特徴とする、システム。
【請求項２】
前記固有の識別子（４）が光学的に認識可能なコードを含むことを特徴とする、請求項１に記載の外科器械システムの追跡管理のためのシステム。
【請求項３】
前記固有の識別子（４）が電子メモリに記録されたコードを含むことを特徴とする、請求項１に記載の外科器械システムの追跡管理のためのシステム。
【請求項４】
前記追加の識別子の記録媒体（７）が、前記固有の識別子と、前記移動可能な識別子媒体を受け取るための領域と、前記患者コードを受け取るための領域とが記載されているシートを含むことを特徴とする、請求項１〜３のいずれか一項に記載の外科器械システムの追跡管理のためのシステム。
【請求項５】
前記追加の識別子の記録媒体（７）が、前記固有の識別子と、前記患者コードと、前記移動可能な識別子媒体とを受け取ることができるコンピュータファイルを含むことを特徴とする、請求項１〜３のいずれか一項に記載の外科器械システムの追跡管理のためのシステム。
【請求項６】
前記キット一式の製造、包装および滅菌に関する情報を記録するためのデータベースも含み、当該システムが、前記追加の識別子の記録媒体（７）から発せられる情報を、前記媒体に関連付けられた固有の識別子を使用して比較するための手段を含むことを特徴とする、請求項１〜５のいずれか一項に記載の外科器械システムの追跡管理のためのシステム。
【請求項７】
前記固有の識別子および前記記録媒体（７）を含むキットが取付器具キットであることを特徴とする、請求項１〜６のいずれか一項に記載の外科器械システムの追跡管理のためのシステム。
【請求項８】
外科器械システムの追跡管理のための方法であって、インプラント取り付けのための使い捨て器具キットと、少なくとも１つの滅菌インプラントキットと、を含み、前記キットのそれぞれが識別子を含む、方法であって、
患者コードが、固有の識別子を含む前記キットの１つに関連付けられた追加の識別子の記録媒体（７）に記録され、
少なくとも１つの補完キットの少なくとも１つの移動可能な識別子がまた、前記補完キットの使用時に前記追加の識別子の記録媒体（７）に記録されることを特徴とする、方法。
【請求項９】
患者に対する前記システムの使用の終了時に前記記録媒体を収集データベースに送信するステップと、
少なくとも収集されたデータから集約ファイルを編集するステップと、を含むことを特徴とする、請求項８に記載の外科器械システムの追跡管理のための方法。
【請求項１０】
再利用される廃棄物の回収部に対して、前記記録媒体（７）から得る情報を含む追跡管理シートを送信するステップを含むことを特徴とする、請求項８に記載の外科器械システムの追跡管理のための方法。
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
面および境界面を有するインプラントを備え、
前記面が、第１の骨部分の形状を実質的に補完する形状であり、前記境界面が、締付け具部材を受けるように構成され、
前記インプラントが、前記締付け具部材で固定されるように構成され、それにより、前記インプラントが前記締付け具部材によって固定された後、前記第１の骨部分および第２の骨部分が互いに癒合することを特徴とする装置。
【請求項２】
前記面が第１の面であり、前記インプラントが、前記第２の骨部分の形状を実質的に補完する形状の第２の面をさらに含むことを特徴とする請求項１に記載の装置。
【請求項３】
前記面が第１の面であり、前記インプラントが、前記第２の骨部分の形状を実質的に補完する形状の第２の面をさらに含むことを特徴とする請求項１に記載の装置。
【請求項４】
前記境界面が第１の境界面であり、前記インプラントが、骨移植片を受けるように構成された第２の境界面をさらに含み、前記第１の骨部分および前記第２の骨部分が、前記骨移植片を介して互いに癒合することを特徴とする請求項１に記載の装置。
【請求項５】
前記面の表面が粗面または多孔質であることを特徴とする請求項１に記載の装置。
【請求項６】
前記境界面が、前記面の実質的に中心に配置されることを特徴とする請求項１に記載の装置。
【請求項７】
前記境界面が第１の境界面であり、前記インプラントが、不規則な形状を有する第２の境界面をさらに含むことを特徴とする請求項１に記載の装置。
【請求項８】
前記境界面が第１の境界面であり、前記インプラントが複数の第２の境界面をさらに含み、前記複数の第２の境界面からの第２の境界面がそれぞれ、前記面の中心の周りで実質的に等距離のところに配置されることを特徴とする請求項１に記載の装置。
【請求項９】
締付け具部材と、
前記締付け具部材を受けるように構成された境界面を有するインプラントと、
を備え、
前記締付け具部材が、前記インプラントを第１の骨部分および第２の骨部分に固定するように構成され、それにより、固定後、前記第１の骨部分および前記第２の骨部分が互いに癒合することを特徴とするキット。
【請求項１０】
前記境界面が、面の実質的に中心に配置されることを特徴とする請求項９に記載のキット。
【請求項１１】
前記境界面が第１の境界面であり、前記インプラントが、不規則な形状を有する第２の境界面をさらに含むことを特徴とする請求項９に記載のキット。
【請求項１２】
前記境界面が第１の境界面であり、前記インプラントが、骨移植片を受けるように構成された第２の境界面をさらに含み、前記第１の骨部分および前記第２の骨部分が前記骨移植片を介して互いに癒合することを特徴とする請求項９に記載のキット。
【請求項１３】
前記締付け具部材が可撓性の締付けバンドであることを特徴とする請求項９に記載のキット。
【請求項１４】
前記インプラントが面を含み、前記面が粗面または多孔質であることを特徴とする請求項９に記載のキット。
【請求項１５】
前記インプラントが、前記第１の骨部分の形状を実質的に補完する形状の面をさらに含むことを特徴とする請求項９に記載のキット。
【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
以下の工程を含む、がんの治療および予防の一方または両方あるいはがん細胞増殖の阻害のための候補物質のスクリーニング方法：
（a）  試験物質を、ＳＵＶ３９Ｈ２ポリペプチドまたはその機能的等価物と接触させる工程；
（b）  工程（a）のポリペプチドまたはその機能的等価物の生物学的活性を検出する工程；および
（c）  前記試験物質の非存在下で検出された生物学的活性と比較して前記ポリペプチドまたはその機能的等価物の生物学的活性を抑制する試験物質を選択する工程。
【請求項２】
前記生物学的活性が、細胞増殖促進活性またはメチルトランスフェラーゼ活性である、請求項１に記載の方法。
【請求項３】
以下の工程を含む、がんの治療および予防の一方または両方あるいはがん細胞増殖の阻害のための候補物質のスクリーニング方法：
（a）  試験物質を、ＳＵＶ３９Ｈ２ポリペプチドまたはその機能的等価物と接触させる工程；
（b）  前記ポリペプチドまたはその機能的等価物と前記試験物質との間の結合活性を検出する工程；および
（c）  前記ポリペプチドまたはその機能的等価物に結合する試験物質を選択する工程。
【請求項４】
以下の工程を含む、がんの治療および予防の一方または両方あるいはがん細胞増殖の阻害のための候補物質のスクリーニング方法：
（a）  試験物質を、ＳＵＶ３９Ｈ２遺伝子を発現する細胞と接触させる工程、および
（b）  前記試験物質の非存在下における発現レベルと比較してＳＵＶ３９Ｈ２遺伝子の発現レベルを低下させる試験物質を選択する工程。
【請求項５】
以下の工程を含む、がんの治療および予防の一方または両方あるいはがん細胞増殖の阻害のための候補物質のスクリーニング方法：
（a）  試験物質を、ＳＵＶ３９Ｈ２遺伝子の転写調節領域および前記転写調節領域の制御下で発現されるレポーター遺伝子を含むベクターが導入されている細胞と接触させる工程、
（b）  前記レポーター遺伝子の発現または活性レベルを測定する工程、および
（c）  前記試験物質の非存在下でのレベルと比較して前記レポーター遺伝子の発現または活性レベルを低下させる試験物質を選択する工程。
【請求項６】
以下の工程を含む、がんの治療および予防の一方または両方あるいはがん細胞増殖の阻害のための候補物質のスクリーニング方法：
（a）  試験物質を、ＳＵＶ３９Ｈ２遺伝子、および表７および表８に示される遺伝子から選択された下流遺伝子を発現する細胞と接触させる工程；
（b）  前記下流遺伝子の発現レベルを検出する工程、および
（c）  前記試験物質の非存在下で検出された発現レベルと比較して下流遺伝子の発現レベルを変更する試験物質を選択する工程。
【請求項７】
請求項６記載の工程（a）のＳＵＶ３９Ｈ２遺伝子の下流遺伝子が、表７に示される遺伝子から選択され、かつ、工程（c）が、前記試験物質の非存在下で検出された発現レベルと比較して前記下流遺伝子の発現レベルを増加させる試験物質を選択する工程である、請求項６に記載の方法。
【請求項８】
請求項６記載の工程（a）のＳＵＶ３９Ｈ２遺伝子の下流遺伝子が、表８に示される遺伝子から選択され、かつ、工程（c）が、前記試験物質の非存在下で検出された発現レベルと比較して前記下流遺伝子の発現レベルを低下する試験物質を選択する工程である、請求項６に記載の方法。
【請求項９】
がんが、肺癌、子宮頸癌、膀胱癌、食道癌、骨肉腫、前立腺癌および軟部腫瘍からなる群から選択される、請求項１〜８のいずれか１項に記載の方法。
【請求項１０】
がんを検出または診断するためまたはがんを発症する素因を決定するためのキットであって、以下からなる群より選択される試薬を含む、キット：
（a）  ＳＵＶ３９Ｈ２遺伝子のｍＲＮＡを検出するための試薬；
（b）  ＳＵＶ３９Ｈ２遺伝子によってコードされるタンパク質を検出するための試薬、および
（c）  ＳＵＶ３９Ｈ２遺伝子によってコードされるタンパク質の生物学的活性を検出するための試薬。
【請求項１１】
試薬が、ＳＵＶ３９Ｈ２遺伝子の転写物に対するプローブである、請求項１０に記載のキット。
【請求項１２】
試薬が、ＳＵＶ３９Ｈ２遺伝子によってコードされるタンパク質に対する抗体である、請求項１０に記載のキット。
【請求項１３】
検出されるべき生物学的活性が、細胞増殖促進活性またはメチルトランスフェラーゼ活性である、請求項１０〜１２のいずれか１項に記載のキット。
【請求項１４】
がんが、肺癌、子宮頸癌、膀胱癌、食道癌、骨肉腫、前立腺癌および軟部腫瘍からなる群から選択される、請求項１０〜１２のいずれか１項に記載のキット。
【請求項１５】
センス鎖およびアンチセンス鎖を含む二本鎖分子であって、ここで、前記センス鎖は、配列番号１９または２０の標的配列に相当するヌクレオチド配列を含み、かつ、前記アンチセンス鎖は、この標的配列に相補的なヌクレオチド配列を含み、前記センス鎖およびアンチセンス鎖は、相互にハイブリダイズして二本鎖分子を形成し、かつ、ここで、前記二本鎖分子は、ＳＵＶ３９Ｈ２遺伝子を発現する細胞に導入された場合、ＳＵＶ３９Ｈ２遺伝子の発現を阻害する、二本鎖分子。
【請求項１６】
二本鎖分子が、約１９〜約２５ヌクレオチド長である、請求項１５に記載の二本鎖分子。
【請求項１７】
二本鎖分子が、一本鎖ヌクレオチド配列を介して連結されたセンス鎖およびアンチセンス鎖を含む単一ポリヌクレオチド分子である、請求項１５に記載の二本鎖分子。
【請求項１８】
前記二本鎖分子が、一般式
５’−［Ａ］−［Ｂ］−［Ａ’］−３’または
５’−［Ａ’］−［Ｂ］−［Ａ］−３’
を有し、ここで、［Ａ］は、配列番号１９または２０の標的配列に相当するヌクレオチド配列を含むセンス鎖であり；［Ｂ］は、約３〜約２３ヌクレオチドからなるヌクレオチド配列であり；および［Ａ’］は、標的配列に相補的なヌクレオチド配列を含むアンチセンス鎖である、請求項１７に記載の二本鎖分子。
【請求項１９】
請求項１５〜１８のいずれか１項に記載の二本鎖分子をコードするベクター。
【請求項２０】
センス鎖核酸およびアンチセンス鎖核酸を含むベクターであって、ここで、前記センス鎖核酸は、配列番号１９または２０のヌクレオチド配列を含み、および前記アンチセンス鎖核酸は、前記センス鎖に相補的なヌクレオチド配列から構成され、前記センス鎖および前記アンチセンス鎖の転写物は、相互にハイブリダイズして二本鎖分子を形成し、前記ベクターは、ＳＵＶ３９Ｈ２遺伝子の発現を阻害する、ベクター。
【請求項２１】
がんの治療および予防の一方または両方のための組成物であって、前記組成物が、医薬的有効量のＳＵＶ３９Ｈ２遺伝子に対する二本鎖分子または前記二本鎖分子をコードするベクターおよび医薬的に許容可能なキャリアを含み、ここで、前記二本鎖分子は、ＳＵＶ３９Ｈ２遺伝子を発現する細胞に導入された場合、ＳＵＶ３９Ｈ２遺伝子の発現ならびに細胞増殖を阻害する、組成物。
【請求項２２】
二本鎖分子が、請求項１５〜１８のいずれか１項に記載の二本鎖分子である、請求項２１に記載の組成物。
【請求項２３】
ベクターが、請求項１９または２０に記載のベクターである、請求項２１に記載の組成物。
【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
ミトコンドリア病を引き起こすミトコンドリアDNA変異を有する患者から得られた体細
胞から、該変異の頻度が該体細胞と比較して増大した、又は検出できないレベルまで低下したiPS細胞を製造する方法であって、
（1）該患者から得られた体細胞を初期化物質と接触させる工程；
（2）細胞培養物からiPS細胞コロニーを選択する工程；及び
（3）iPS細胞の該変異の頻度を決定する工程
を含む、方法。
【請求項２】
変異が、3243位におけるアデニンからグアニンへの置換（A3243G）である、請求項１に記載の方法。
【請求項３】
ミトコンドリア病が糖尿病を伴う、請求項１又は２に記載の方法。
【請求項４】
核初期化物質が、Octファミリーメンバー、Soxファミリーメンバー、Klf4ファミリーメンバー、Mycファミリーメンバー、Linファミリーメンバー及びNanog、並びにそれらをコードする核酸からなる群より選択される、請求項１〜３のいずれか１項に記載の方法。
【請求項５】
核初期化物質が、Oct3/4、Sox2及びKlf4、又はそれらをコードする核酸である、請求項４に記載の方法。
【請求項６】
核初期化物質が、Oct3/4、Sox2、Klf4及びc-Myc若しくはL-Myc、又はそれらをコードする核酸である、請求項４に記載の方法。
【請求項７】
ミトコンドリア病を引き起こすミトコンドリアDNA変異を有する患者から得られた体細胞から樹立された、該変異の頻度が該体細胞と比較して増大したiPS細胞。
【請求項８】
変異が、3243位におけるアデニンからグアニンへの置換（A3243G）である、請求項７に記載のiPS細胞。
【請求項９】
ミトコンドリア病の治療及び／又は予防剤をスクリーニングする方法であって、
（1）ミトコンドリア病を引き起こすミトコンドリアDNA変異を有するiPS細胞から分化誘導した体細胞を被検物質と接触させる工程；
（2）該細胞におけるミトコンドリア病の1以上の表現型を決定する工程；及び
（3）被検物質不在下と比較して、少なくとも1の表現型を改善した被検物質を、ミトコンドリア病の治療及び／又は予防剤の候補として選択する工程
を含む、方法。
【請求項１０】
体細胞が、膵β細胞、神経細胞、心筋細胞又は骨格筋細胞である、請求項９に記載の方法。
【請求項１１】
ミトコンドリア病の表現型が、シトクロムCオキシダーゼサブユニット１および/またはシトクロムCオキシダーゼサブユニット２のタンパク質量が低下することである、請求項９または１０に記載の方法。
【請求項１２】
ミトコンドリア病を引き起こすミトコンドリアDNA変異を有する患者から得られた体細胞から樹立された、該変異の頻度が検出できないレベルまで低下したiPS細胞を体細胞に分化させることを含む、ミトコンドリア病の治療及び／又は予防剤の製造方法。
【請求項１３】
体細胞が、膵β細胞、神経細胞、心筋細胞又は骨格筋細胞である、請求項１２に記載の方法。
【手続補正書】
【提出日】平成27年5月29日(2015.5.29)
【手続補正１】
【補正対象書類名】特許請求の範囲
【補正対象項目名】全文
【補正方法】変更
【補正の内容】
【特許請求の範囲】
【請求項１】
電動装置であって、
少なくとも１つの電動コンポーネントと、
少なくとも２つのセルを含む電源であって、少なくとも１つのセルが前記電動コンポーネントに電力供給を行い、残りのセルは予備として保持される、電源と、
前記少なくとも１つの電動コンポーネント及び前記電源に接続された制御回路と、を備え、
前記制御回路は、
充電信号を生成するコントローラと、
前記コントローラに接続され、前記電源から電力を受け取り、且つ、前記コントローラにより受信されて前記充電信号に変換されるブースト信号を生成するブーストレギュレータ回路と、
前記コントローラに接続され、当該コントローラから前記充電信号を受信するキャパシタと、を有し、
前記キャパシタは所定の電圧を前記電動コンポーネントに供給し、
前記ブーストレギュレータ回路及び前記コントローラは前記電源をモニタリングして、前記１つのセルが完全に使い尽くされたとき、前記予備として保持されている残りのセルの少なくとも１つから電力を引き出す電動装置。
【請求項２】
前記少なくとも２つのセルは異なるタイプ及びサイズのセルであり、アルカリ電池、ＮｉＭＨ電池、単三電池、単四電池、Ｃ電池及びＤ電池からなる群から選択される請求項１記載の電動装置。
【請求項３】
前記少なくとも２つのセルは並列接続される請求項１記載の電動装置。
【請求項４】
流体詰め替えコンテナを収納できるハウジングをさらに備えた前記電動装置であって、前記少なくとも１つの電動コンポーネントは、前記流体詰め替えコンテナから流体を投与放出する際に当該投与放出を補助する請求項１記載の電動装置。
【請求項５】
前記セルの各々に付随して前記コントローラに接続された発光要素を含むセルインジケータ回路をさらに備えた前記電動装置であって、前記発光要素は、前記付随するセルが使い尽くされたか否かを示す請求項４記載の電動装置。
【請求項６】
前記ハウジングに取り付けられたカバーと、
前記カバーに接続され且つ前記コントローラに接続されたカバースイッチと、をさらに備えた前記電動装置であって、
前記コントローラは、前記付随するセルが使い尽くされたか否かに応じて前記発光要素を発光させる請求項５記載の電動装置。
【請求項７】
前記キャパシタが１ファラッド（Farad）より大きな値を有するスーパーキャパシタであり、当該スーパーキャパシタが前記少なくとも１つの電動装置に電力供給する請求項１記載の電動装置。
【請求項８】
前記スーパーキャパシタが不十分な電荷を有する場合、前記電源が前記電動コンポーネントに電力供給する請求項７記載の電動装置。
【請求項９】
前記電源と前記コントローラの間に接続されたセル選択回路をさらに備えた前記電動装置であって、前記コントローラは、前記少なくとも２つのセルの選択された１つのセルを前記ブーストレギュレータ回路に接続するために、前記セル選択回路により受信される選択信号を生成する請求項７記載の電動装置。